(57)【要約】【課題】複数の符号長が混在する再生信号の中から、符号長毎の波高値を高速にかつ正確に抽出することができる光ディスク装置を提供する。【解決手段】本発明に係る光ディスク装置は、複数の符号長によってデータが記録された光ディスクを、ＰＲＭＬ方式を用いて再生する光ディスク装置において、光ディスクの再生信号を多値デジタル信号に変換するＡＤ変換部と、多値デジタル信号を所定のパーシャルレスポンスに基づいて波形等化し、等化再生信号を生成する波形等化部と、等化再生信号から前記光ディスクに記録されたデータに対応する復号データを生成する復号部と、符号長毎の波高値を、復号データと所定のパーシャルレスポンスの種類とに基づいて等化再生信号から抽出する波高値抽出部と、を備えたことを特徴とする。【選択図】  図１
2008282511.tif 000002
【特許請求の範囲】
【請求項１】
複数の符号長によってデータが記録された光ディスクをＰＲＭＬ方式を用いて再生する光ディスク装置において、
前記光ディスクの再生信号を多値デジタル信号に変換するＡＤ変換部と、
前記多値デジタル信号を所定のパーシャルレスポンスに基づいて波形等化し、等化再生信号を生成する波形等化部と、
前記等化再生信号から前記光ディスクに記録されたデータに対応する復号データを生成する復号部と、
前記符号長毎の波高値を、前記復号データと前記所定のパーシャルレスポンスの種類とに基づいて前記等化再生信号から抽出する波高値抽出部と、
を備えたことを特徴とする光ディスク装置。
【請求項２】
前記波高値抽出部は、
前記復号データから符号長を識別し、識別した符号長の中央に対応するサンプリング点における前記等化再生信号の振幅値をその符号長の波高値として抽出する、
ことを特徴とする請求項１に記載の光ディスク装置。
【請求項３】
前記波高値抽出部は、
前記中央に対応するサンプリング点の数が１点であるのか２点であるのかを、前記識別した符号長と前記所定のパーシャルレスポンスの種類に基づいて判断し、２点の場合には、それらに対応する前記等化再生信号の２つの振幅値の平均値をその符号長の波高値として抽出する、
ことを特徴とする請求項２に記載の光ディスク装置。
【請求項４】
前記波高値抽出部は、
前記識別した符号長の長さが偶数であり、かつ、前記所定のパーシャルレスポンスの応答長の長さが偶数の場合、又は、前記識別した符号長の長さが奇数であり、かつ、前記所定のパーシャルレスポンスの応答長の長さが奇数の場合には、前記中央に対応するサンプリング点の数が１点であると判断し、
前記識別した符号長の長さが奇数であり、かつ、前記所定のパーシャルレスポンスの応答長の長さが偶数の場合、又は、前記識別した符号長の長さが偶数であり、かつ、前記所定のパーシャルレスポンスの応答長の長さが奇数の場合には、前記中央に対応するサンプリング点の数が２点であると判断する、
ことを特徴とする請求項３に記載の光ディスク装置。
【請求項５】
前記波高値抽出部は、
前記等化再生信号を、前記符号長の単位長のクロックで遅延保持するデータ保持回路と、
前記復号データのデータ変化点を検出して前記符号長を検出する符号長検出回路と、
前記パーシャルレスポンスの種類からそのパーシャルレスポンスの応答長を判定すると共に、判定した応答長と前記符号長検出回路にて検出した前記符号長とから選択信号を生成する選択信号生成回路と、
前記選択信号に基づいて、検出した前記符号長の中央に対応するサンプリング点の前記等化再生信号の振幅値を、前記データ保持回路から選択する選択回路と、
を備えたことを特徴とする請求項１に記載の光ディスク装置。
【請求項６】
前記選択回路は、前記サンプリング点が２点ある場合に、該当する前記等化再生信号の２つの振幅値を平均する平均値算出回路、
をさらに備えたことを特徴とする請求項５に記載の光ディスク装置。
【請求項７】
複数の符号長によってデータが記録された光ディスクをＰＲＭＬ方式を用いて再生する光ディスク再生方法において、
（ａ）前記光ディスクの再生信号を多値デジタル信号に変換し、
（ｂ）前記多値デジタル信号を所定のパーシャルレスポンスに基づいて波形等化し、等化再生信号を生成し、
（ｃ）前記等化再生信号から前記光ディスクに記録されたデータに対応する復号データを生成し、
（ｄ）前記符号長毎の波高値を、前記復号データと前記所定のパーシャルレスポンスの種類とに基づいて前記等化再生信号から抽出する、
ステップを備えたことを特徴とする光ディスク再生方法。
【請求項８】
ステップ（ｄ）では、
前記復号データから符号長を識別し、識別した符号長の中央に対応するサンプリング点における前記等化再生信号の振幅値をその符号長の波高値として抽出する、
ことを特徴とする請求項７に記載の光ディスク再生方法。
【請求項９】
ステップ（ｄ）では、
前記中央に対応するサンプリング点の数が１点であるのか２点であるのかを、前記識別した符号長と前記所定のパーシャルレスポンスの種類に基づいて判断し、２点の場合には、それらに対応する前記等化再生信号の２つの振幅値の平均値をその符号長の波高値として抽出する、
ことを特徴とする請求項８に記載の光ディスク再生方法。
【請求項１０】
ステップ（ｄ）では、
前記識別した符号長の長さが偶数であり、かつ、前記所定のパーシャルレスポンスの応答長の長さが偶数の場合、又は、前記識別した符号長の長さが奇数であり、かつ、前記所定のパーシャルレスポンスの応答長の長さが奇数の場合には、前記中央に対応するサンプリング点の数が１点であると判断し、
前記識別した符号長の長さが奇数であり、かつ、前記所定のパーシャルレスポンスの応答長の長さが偶数の場合、又は、前記識別した符号長の長さが偶数であり、かつ、前記所定のパーシャルレスポンスの応答長の長さが奇数の場合には、前記中央に対応するサンプリング点の数が２点であると判断する、
ことを特徴とする請求項９に記載の光ディスク再生方法。
【発明の詳細な説明】
【技術分野】
【０００１】
本発明は光ディスク装置及び光ディスク再生方法に係り、特に、光ディスクの再生信号を多値データとしてサンプリングして記録データを復号する光ディスク装置及び光ディスク再生方法に関する。
【背景技術】
【０００２】
高密度記録型の光ディスク、例えば、ＨＤ  ＤＶＤ等では、ＰＲＭＬ（Partial  Response  Maximum  Likelihood）信号処理方式と呼ばれる再生方式が多く用いられている。
【０００３】
ＰＲＭＬ信号処理方式は、例えば特許文献１等に開示されているように、意図的な波形干渉を許容する狭帯域な応答特性（ＰＲ）と最尤推定（ＭＬ）とを組み合わせた信号処理方式である。光ディスクの高密度記録化に伴って雑音成分が増加し、再生信号のＳ／Ｎは低下するが、このような低Ｓ／Ｎの環境であってもＰＲＭＬ信号処理方式を用いることによって従来の２値スライス方式に比べると誤検出を大幅に低減することができる。
【０００４】
ＰＲＭＬ信号処理方式では、アナログ再生信号を多値データとしてサンプリングし、再生信号の振幅情報をデータの復号に積極的に利用する方式であり、この点が従来の閾値による２値スライス方式と大きく異なる点である。
【特許文献１】特開２００５−９３０３３号公報
【発明の開示】
【発明が解決しようとする課題】
【０００５】
上述したようにＰＲＭＬ信号処理方式では再生信号の振幅情報をデータの復号に用いるため、振幅情報の品質が非常に重要となる。
【０００６】
一方、光ディスクが記録型の光ディスクの場合、記録時のレーザパワー（記録パワー）や記録パルス波形といった記録パラメータによって再生信号の品質は影響を受ける。この影響は、光ディスク装置の特性や、光ディスクそのものの特性によっても異なってくる。このため、多くの光ディスク装置では、光ディスクの特定の領域にテストデータを試し書きし、このテストデータを再生、評価することにより、現在挿入されている光ディスクに対する最適な記録パラメータを決定する、といった手法を採用している。
【０００７】
テストデータの再生信号の評価指標として種々のものが提案されているが、例えば、再生信号の上下の非対称性（アシンメトリ）に関する評価指標として、所謂アシンメトリ値βと呼ばれる評価指標がある。記録型のＣＤやＤＶＤの多くは、上記のアシンメトリ値βをゼロに近づけるように記録パワーの調整（パルス幅調整による等価的な記録パワー調整を含む）を行っており、これをＯＰＣ（Optimum  Power  Control）と呼んでいる。
【０００８】
ＯＰＣには種々の手法があるが、一般的には以下のような手法が用いられている。
【０００９】
まず、再生波形のＤＣレベルを基準にピーク検波、及びボトム検波を行い、ピーク値ＶＨとボトム値ＶＬを得る。次に、ピーク値ＶＨとボトム値ＶＬとから、再生波形の対称性を示すアシンメトリ値β（β＝（ＶＨ＋ＶＬ）／（ＶＨ−ＶＬ））を計算する。そして、このアシンメトリ値βがゼロとなるように記録パワーを計算する。
【００１０】
しかしながら、従来から用いられているアシンメトリ値βは、全符号長（ＣＤや従来型のＤＶＤの場合、３Ｔ乃至１１Ｔの符号長）の平均的なＤＣレベルの対称性を示す指標であるため、個々の符号長の夫々のアシンメトリがゼロになるとは限らない。例えば、３Ｔ符号長のアシンメトリが正側にずれ、４Ｔ符号長のアシンメトリが負側にずれていたとしても、平均的なアシンメトリ値βがゼロとなる場合もあり得る。
【００１１】
他方、ＨＤ  ＤＶＤ等の高密度記録型の光ディスクでは、再生信号の品質に対するアシンメトリ（非対称性）の影響は従来のＣＤやＤＶＤに比べて大きくなっている。このため、アシンメトリを従来よりも細かく調整する必要がでてきている。換言すれば、従来のように全符号長の平均的なアシンメトリをゼロにするだけでなく、個々の符号長の夫々のアシンメトリをもゼロに近づけるような調整手法が必要となってきている。
【００１２】
ところで、符号長毎のアシンメトリを算出しようとする場合、符号長毎の波高値（例えば、マークの場合のピーク値とスペースの場合のボトム値）を取得して算出する必要がある。一般にテストデータにはランダムなデータが用いられる。このため、再生信号には符号長が、例えば、２Ｔ乃至１１Ｔの種々の符号長のマークやスペースがランダムに混在している。
【００１３】
従って、符号長毎のアシンメトリを算出しようとする場合、再生信号のストリームの中から特定の符号長を識別しその波高値を正確に抽出する必要がある。しかしながら、従来このような処理をほぼ実時間で高速に、かつ効率良く行う技術は開発されていなかった。
【００１４】
本発明は上記事情に鑑みてなされたもので、複数の符号長が混在する再生信号の中から、符号長毎の波高値を高速にかつ正確に抽出することができる光ディスク装置及び光ディスク再生方法を提供することを目的とする。
【課題を解決するための手段】
【００１５】
上記課題を解決するため、本発明に係る光ディスク装置は、請求項１に記載したように、複数の符号長によってデータが記録された光ディスクを、ＰＲＭＬ方式を用いて再生する光ディスク装置において、前記光ディスクの再生信号を多値デジタル信号に変換するＡＤ変換部と、前記多値デジタル信号を所定のパーシャルレスポンスに基づいて波形等化し、等化再生信号を生成する波形等化部と、前記等化再生信号から前記光ディスクに記録されたデータに対応する復号データを生成する復号部と、前記符号長毎の波高値を、前記復号データと前記所定のパーシャルレスポンスの種類とに基づいて前記等化再生信号から抽出する波高値抽出部と、を備えたことを特徴とする。
【００１６】
また、上記課題を解決するため、本発明に係る光ディスク再生方法は、請求項７に記載したように、複数の符号長によってデータが記録された光ディスクを、ＰＲＭＬ方式を用いて再生する光ディスク再生方法において、（ａ）前記光ディスクの再生信号を多値デジタル信号に変換し、（ｂ）前記多値デジタル信号を所定のパーシャルレスポンスに基づいて波形等化し、等化再生信号を生成し、（ｃ）前記等化再生信号から前記光ディスクに記録されたデータに対応する復号データを生成し、（ｄ）前記符号長毎の波高値を、前記復号データと前記所定のパーシャルレスポンスの種類とに基づいて前記等化再生信号から抽出する、ステップを備えたことを特徴とする。
【発明の効果】
【００１７】
本発明に係る光ディスク装置及び光ディスク再生方法によれば、複数の符号長が混在する再生信号の中から、符号長毎の波高値を高速にかつ正確に抽出することができる。
【発明を実施するための最良の形態】
【００１８】
本発明に係る光ディスク装置、及び光ディスク再生方法の実施形態について、添付図面を参照して説明する。
【００１９】
（１）光ディスク装置の構成と全般動作
図１は、本実施形態に係る光ディスク装置１の構成例を示す図である。
【００２０】
光ディスク装置１は、ＨＤ  ＤＶＤ等の光ディスク１００に対して情報の記録及び再生を行うものである。光ディスク１００には、同心円状、又は螺旋状に溝が刻まれており、溝の凹部をランド、凸部をグルーブと呼び、グループ又はランドの一周をトラックと呼ぶ。ユーザデータはこのトラック（グルーブのみ又はグルーブ及びランド）に沿って、強度変調されたレーザ光を照射してデータの符号長に対応するマークとスペースを形成することで記録される。
【００２１】
データ再生は、記録時より弱いリードパワー(read power)のレーザ光をトラックに沿って照射して、トラック上にある記録マークによる反射光強度の変化を検出することにより行われる。記録されたデータの消去は、前記リードパワーより強いイレースパワー(erase power)のレーザ光をトラックに沿って照射し、記録層を結晶化することにより行われる。
【００２２】
光ディスク１００はスピンドルモータ２によって回転駆動される。スピンドルモータ２に設けられたロータリエンコーダ２ａからは回転角信号が提供される。回転角信号はスピンドルモータ２が１回転すると、例えば５パルス発生する。この回転角信号からスピンドルモータ２の回転角度及び回転数を判断でき、スピンドルモータ制御回路６２では、これらの情報に基づいてスピンドルモータ２の回転駆動制御を行っている。
【００２３】
光ディスク１００に対する情報の記録、再生は、光ピックアップ３によって行われる。光ピックアップ３は、送りモータ４とギア４ｂ及びスクリューシャフト４ａを介して連結されており、この送りモータ４は送りモータ制御回路５により制御される。送りモータ４が送りモータ制御回路５からの送りモータ駆動電流により回転することにより、光ピックアップ３が光ディスク１００の半径方向に移動する。
【００２４】
光ピックアップ３には、図示しないワイヤ或いは板バネによって支持された対物レンズ３０が設けられている。対物レンズ３０は駆動コイル３１の駆動によりフォーカシング方向（レンズの光軸方向）への移動が可能である。また、駆動コイル３２の駆動によりトラッキング方向（レンズの光軸と直交する方向）への移動が可能である。
【００２５】
レーザ駆動回路（記録部）６は、変調部７２にてＥＴＭ（Eight  to  Twelve  Modulation）方式等で変調された記録データ基づいて、書き込み用の駆動電流をレーザダイオード（レーザ発光素子）３３に供給する。変調部７２には、パーソナルコンピュータ等のホスト装置２００からＩ／Ｆ部７１を介して記録用のデータが供給される。
【００２６】
一方、レーザ駆動装置６は情報読取り時には、書き込み用の駆動電流よりも小さな読み取り用の駆動電流をレーザダイオード３３に提供する。
【００２７】
フォトダイオード等により構成されるパワー検出部３４（フロントモニタ（ＦＭ）と呼ぶ場合もある）はレーザ発光素子３３が発生するレーザ光の一部をハーフミラー３５により一定比率だけ分岐し、光量、即ち発光パワーに比例した信号を受光信号として検出する。検出した受光信号はレーザ駆動回路６に供給される。レーザ駆動回路６はパワー検出部３４からの受光信号に基づいて、制御部７０の記録パラメータ決定部７３等で決定及び設定された記録パワー、記録パルス幅、再生時パワー、及び消去時パワーで発光するように、レーザ発光素子３３を制御する。
【００２８】
レーザ発光素子３３はレーザ駆動装置６から供給される駆動電流に応じてレーザ光を発生する。レーザ発光素子３３から発せられるレーザ光は、コリメータレンズ３６、ハーフプリズム３７、対物レンズ３０を介して光ディスク１００上に照射される。
【００２９】
一方、光ディスク１００からの反射光は、対物レンズ３０、ハーフプリズム３７、集光レンズ３８、およびシリンドリカルレンズ３９を介して、光検出器４０に導かれる。
【００３０】
光検出器４０は、例えば４分割の光検出セルから成り、これら光検出セルの検知信号は再生部６０のＲＦアンプ６４に出力される。ＲＦアンプ６４は光検知セルからの信号を処理し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号である再生信号を生成する。
【００３１】
フォーカスエラー信号ＦＥはフォーカス制御回路８に供給される。フォーカス制御回路８はフォーカスエラー信号ＦＥに応じてフォーカス駆動信号を生成する。フォーカス駆動信号はフォーカシング方向の駆動コイル３１に供給される。これにより、レーザ光が光ディスク１００の記録膜上に常時ジャストフォーカスとなるフォーカスサーボ制御が行われる。
【００３２】
一方、トラッキングエラー信号ＴＥはトラック制御回路９に供給される。トラック制御回路９はトラッキングエラー信号ＴＥに応じてトラック駆動信号を生成する。トラック制御回路９から出力されるトラック駆動信号は、トラッキング方向の駆動コイル３２に供給される。これによりレーザ光が光ディスク１００上に形成されたトラック上を常にトレースするトラッキングサーボ制御が行われる。
【００３３】
上記フォーカスサーボ制御およびトラッキングサーボ制御が行われることで、レーザ光の焦点は、光ディスク記録面のトラック上を精度良く追従することができる。この結果、光検出器４０の各光検出セルの出力信号の全加算信号ＲＦには、記録情報に対応して光ディスク１００のトラック上に形成されたマークやスペースからの反射光の変化が正確に反映され、品質の良い再生信号を得ることができる。
【００３４】
この再生信号（全加算信号ＲＦ）は、プリアンプ／等化器６５に入力され、ここで適宜の振幅に増幅されアナログ的な波形整形が行われる。プリアンプ／等化器６５の出力は、ＡＤ変換部６６にて、ＰＬＬ回路６１からの再生用クロック信号によってサンプリングされ、多値のデジタルデータに変換される。
【００３５】
デジタル化された再生信号は、波形等化部（適応等化器）６７に入力され、所定のパーシャルレスポンスの種類（クラス）に応じた波形等化処理が行われる。波形等化部６７は、例えば適応型のトランスバーサルフィルタで構成される。後段の復号部８０で復号された復号データに対して理想的なパーシャルレスポンスを持つ基準データを生成し、この基準データと入力データとの誤差がゼロとるようにトランスバーサルフィルタの重み係数を適応させることによって波形等化を行っている。
【００３６】
波形等化部６７の出力である等化再生信号は復号部８０に入力される。復号部８０では、例えば、ビダビ復号処理により、入力された等化再生信号の系列から最尤推定によって記録データを復号し、復号データを得る。
【００３７】
復号データはエラー訂正部７５に入力され、ここでエラー訂正処理が行われた後Ｉ／Ｆ部７１を介してホスト装置２００に出力される。
【００３８】
他方、波高値抽出部８１には、波形等化部６７の出力である等化再生信号と、復号部８０の出力である復号データが入力され、符号長毎の波高値（ピーク値とボトム値）が等化再生信号から抽出される。波高値抽出部８１の詳細な構成例と動作については後述する。
【００３９】
波高値抽出部８１で抽出された波高値は、評価値算出部８２に入力される。評価値算出部８２では、最適記録パワーや最適記録パルス幅等の最適記録パラメータを決定するための評価値が算出される。評価値の一例として符号長毎のアシンメトリ値がある。
【００４０】
図２は、アシンメトリの概念を示す説明図である。ＨＤ  ＤＶＤでは、符号長は２Ｔから１１Ｔ（Ｔは符号長の単位長）の長さのマーク及びスペースによってユーザデータを記録しており、図２はこれらの各符号長からの再生信号を重ねて表示した図である。
【００４１】
図２において、Ｉ１１ＨとＩ１１Ｌは、１１Ｔの符号長のマークとスペースの夫々の波高値、Ｉ３ＨとＩ３Ｌは、３Ｔの符号長のマークとスペースの夫々の波高値、Ｉ２ＨとＩ２Ｌは、２Ｔの符号長のマークとスペースの夫々の波高値を表わしている。このとき、符号長２Ｔのアシンメトリ値Ａ２Ｔと符号長３Ｔのアシンメトリ値Ａ３Ｔは、夫々次の式で定義されるものである。  
［数１］
Ａ２Ｔ＝((Ｉ１１Ｈ+Ｉ１１Ｌ)/２-(Ｉ２Ｈ+Ｉ２Ｌ)/２)/(Ｉ１１Ｈ-Ｉ１１Ｌ)  (式１)
［数２］
Ａ３Ｔ＝((Ｉ１１Ｈ+Ｉ１１Ｌ)/２-(Ｉ３Ｈ+Ｉ３Ｌ)/２)/(Ｉ１１Ｈ-Ｉ１１Ｌ)  (式２)
また、符号長ｎＴのアシンメトリ値ＡｎＴは、次式となる。
【００４２】
［数３］
ＡｎＴ＝((Ｉ１１Ｈ+Ｉ１１Ｌ)/２-(ＩｎＨ+ＩｎＬ)/２)/(Ｉ１１Ｈ-Ｉ１１Ｌ)  (式３)
【００４３】
これらの定義式からわかるように、符合長ｎＴのアシンメトリ値は、最大符号長である１１Ｔのマークとスペースの中央値と、各符号長ｎＴのマークとスペースの中央値の一致の程度を示す指標となっており、上下の対称性が完全に確保された理想的な再生信号波形では、各符号長のアシンメトリ値は総てゼロとなる。
【００４４】
実際には、光ディスク自体やこれに記録・再生する光ディスク装置の特性のばらつき等によってアシンメトリ値はゼロとはならない。そこで、記録パワーや記録パルス幅等の記録パラメータを調整することによって、アシンメトリ値をゼロに近づける処理を行っており、このような処理をＯＰＣ（Optimum  Power  Control）と呼んでいる。
【００４５】
ＯＰＣを精度良く行なうためには、アシンメトリ値を正しく算出する必要があり、このためには正確な波高値の抽出が重要である。また、ＯＰＣを短時間で行うためには、波高値の抽出も短時間で行わなければならない。
【００４６】
（２）波高値抽出部の構成と動作
図３乃至図５は、本実施形態に係る波高値抽出部８１の動作原理を説明する図である。このうち、図３は、パーシャルレスポンスのクラス（種類）がＰＲ（１２２２１）と呼ばれるクラスに対応する図である。図３の左側の列には、異なる符号長の記録データを示しており、右側の列には夫々対応する理想的な等化再生信号の波形（パーシャルレスポンス波形）を示している。
【００４７】
例えば、図３（ａ）は、符号長１Ｔの単位パルスを示しており、図３（ｂ）は単位パルスに対応する等化再生信号を示している。パーシャルレスポンスは符号間干渉を許容する応答であり、図３（ｂ）からわかるように、符号長１Ｔに対して、振幅ゼロを除くと５つの位置に広がっている様子がわかる。なお、ＰＲ（１２２２１）のカッコ内の数字は、単位パルスに対する応答信号の振幅系列を示しているものであり、パーシャルレスポンスのクラスによって単位パルスに対する応答の長さ（これを応答長と呼ぶものとする）が決まっている。ＰＲ（１２２２１）の場合、応答長は５である。
【００４８】
図３（ｃ）は、２Ｔの符号長の記録データであり、図３（ｄ）はその理想的な等化再生信号である。同様に、図３（ｅ）は、３Ｔの符号長の記録データであり、図３（ｆ）はその理想的な等化再生信号、図３（ｇ）は、７Ｔの符号長の記録データであり、図３（ｈ）はその理想的な等化再生信号である。
【００４９】
図３の各図からわかるように、等化再生信号から波高値を抽出する場合、各符号長の記録データの中央の振幅値を抽出すれば良いことがわかる。
【００５０】
この記録データは、復号部８０から復号データとして得ることができる。つまり、復号データから符号長を検出し、その中央の位置を特定することによって各符号長に対する波高値を得ることができる。より具体的には、復号データの“０”又は“１”の切り換わり点（エッジ）を検出し、エッジ間の中央を各符号長の中央とし、そのサンプリング点の等化再生信号の振幅値を抽出して波高値とすれば良い。
【００５１】
ところで、図３の等化再生信号に二重丸で示したように、中央のサンプリング点といってもその位置が１点に定まる場合と、２点に跨る場合とがある。図３に示したＰＲ（１２２２１）クラスの場合、符号長が奇数のとき中央のサンプリング点は１点となり、符号長が偶数のとき中央のサンプリング点は２点に跨る。
【００５２】
本実施形態では、中央のサンプリング点が１点に定まる場合にはその点の等化再生信号をそのまま抽出して波高値とし、中央のサンプリング点が２点に跨る場合には２点のサンプリング点の２つの等化再生信号の平均値を波高値とするものとしている。
【００５３】
なお、中央のサンプリング点が１点に定まるか、或いは２点に跨るかは、符号長の偶数と奇数の他、パーシャルレスポンスのクラス、より具体的にはパーシャルレスポンスの応答長が偶数か奇数かによっても異なってくる。
【００５４】
図３は、応答長が奇数「５」のＰＲ（１２２２１）の等化再生信号を示した図であるが、これに対して図４は、応答長が偶数「４」のＰＲ（１２２１）の等化再生信号を示した図である。図４からわかるように、ＰＲ（１２２１）では、符号長が奇数のとき中央のサンプリング点は２点に跨り（図４（ｂ）、（ｆ）、（ｈ））、符号長が偶数のとき中央のサンプリング点は１点に定まる（図４（ｄ））。
【００５５】
一方、図５は、応答長が奇数「３」のＰＲ（１２１）の等化再生信号を示した図である。図５からわかるように、ＰＲ（１２１）では、符号長が奇数のとき中央のサンプリング点は１点に定まり（図５（ｂ）、（ｆ）、（ｈ））、符号長が偶数のとき中央のサンプリング点は２点に跨る（図５（ｄ））。
【００５６】
以上の例示からわかるように、パーシャルレスポンスの応答長が奇数の場合（ＰＲ（１２２２１）やＰＲ（１２１）等の場合）、符合長が奇数のときには中央のサンプリング点は１点に定まり、符号長が偶数のときには中央のサンプリング点は２点に跨るという規則となる。
【００５７】
一方、パーシャルレスポンスの応答長が偶数の場合（ＰＲ（１２２１）等の場合）、符合長が奇数のときには中央のサンプリング点は２点に跨り、符号長が偶数のときには中央のサンプリング点は１点に跨るという規則となる。
【００５８】
本実施形態では、この規則を利用して、符合長の中央の１点の等化再生信号を波高値とするか、中央の２点の等化再生信号の平均値を波高値とするかを判定し、処理の切換を行っている。
【００５９】
以上の動作原理に基づいて波高値を抽出する処理はソフトウェアでも実現可能であるが、処理速度の観点からはハードウェアで構成するほうが有利である。
【００６０】
図６は、上記の動作原理に基づいてハードウェアで構成した波高値抽出部８１の構成例を示す図である。
【００６１】
波高値抽出部８１は、複数のレジスタ９１を具備するデータ保持回路９０、符号長検出回路９２、選択信号生成回路９３、選択回路９４を備えて構成されている。また、選択回路９４は、３つのマルチプレクサ９５、９６、９８と平均値算出回路９７を備えて構成されている。
【００６２】
データ保持回路９０は、波形等化部６７から出力される等化再生信号を、符号長の基本単位Ｔのクロックによって順次遅延させながら保持する回路である。遅延段数は、最大符号長の数だけ設ければよい。
【００６３】
符号長検出回路９２は、復号部８０から出力される復号データのエッジを検出し、エッジ間の距離から符号長の長さを検出する回路である。
【００６４】
選択信号生成回路９３は、パーシャルレスポンスクラスの種類と符号長とから３つのマルチプレクサ９５、９６、９８で用いる選択信号を生成する。
【００６５】
符号長とパーシャルレスポンスクラスの応答長とから中央のサンプリング点が１点に定まると判断される場合には、その１点を選択する信号をマルチプレクサ９５に出力する。
【００６６】
また、マルチプレクサ９８に対してはマルチプレクサ９５の出力を選択する選択信号を出力する。この結果、符合長の中央１点の等化再生信号が波高値として出力される。
【００６７】
一方、符号長とパーシャルレスポンスクラスの応答長とから中央のサンプリング点が２点に跨ると判断される場合には、一方の１点を選択する信号をマルチプレクサ９５に出力すると共に他の１点を選択する信号をマルチプレクサ９６に出力する。この結果、平均値算出回路９７にて両者の平均値が算出される。また、マルチプレクサ９８に対しては平均値算出回路９７の出力を選択する選択信号を出力する。この結果、符合長の中央２点の等化再生信号の平均値が波高値として出力される。
【００６８】
以上説明してきたように、本実施形態に係る光ディスク装置、及び光ディスク再生方法によれば、複数の符号長が混在する再生信号の中から、符号長毎の波高値を高速にかつ正確に抽出することができ、この結果、アシンメトリ値等の評価値を高精度でかつ高速に得ることが可能となる。
【００６９】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７０】
【図１】本発明の一実施形態に係る光ディスク装置の構成例を示す図。
【図２】符号長毎の波高値を用いて符号長毎のアシンメトリ値を算出する方法の説明図。
【図３】各種の符号長の記録データと、これらに対応するＰＲ（１２２２１）クラスの理想的な等化再生信号とを示す図。
【図４】各種の符号長の記録データと、これらに対応するＰＲ（１２２１）クラスの理想的な等化再生信号とを示す図。
【図５】各種の符号長の記録データと、これらに対応するＰＲ（１２１）クラスの理想的な等化再生信号とを示す図。
【図６】本実施形態に係る波高値検出部の構成例を示す図。
【符号の説明】
【００７１】
１  光ディスク装置
６  記録部（レーザ駆動回路）
６０  再生部
６４  ＲＦアンプ
６６  ＡＤ変換部
６７  波形等化部
６８  復号部
７３  記録パラメータ決定部
８１  波高値抽出部
８２  評価値算出部
９０  データ保持回路
９２  符号長検出回路
９３  選択信号生成回路
９４  選択回路
９７  平均値算出回路
【図１】
2008282511.tif 000003
【図２】
2008282511.tif 000004
【図３】
2008282511.tif 000005
【図４】
2008282511.tif 000006
【図５】
2008282511.tif 000007
【図６】
2008282511.tif 000008